(57)【特許請求の範囲】
【請求項１】
表示位置が異なる左目映像及び右目映像を交互に切り替えて表示させる立体映像表示装置と，前記立体映像表示装置における左目映像及び右目映像の表示の切り替えに連動して左目及び右目の視界を交互に切り替えて有効化させる立体表示メガネとを備えてなる立体映像表示システムであって，
前記立体表示メガネが，該立体表示メガネにおける視界の切り替えタイミングを前記立体映像表示装置における左目映像及び右目映像の切り替えタイミングに同期させるための各々異なる同期制御情報の候補が予め複数記憶された同期制御情報記憶手段と，前記同期制御情報記憶手段に記憶された前記同期制御情報のいずれかに従って視界の切り替えタイミングを制御する同期制御手段とを備えてなり，
前記立体映像表示装置が，該立体映像表示装置における左目映像及び右目映像の切り替えタイミングに対応する同期制御情報を前記候補から選択させるための候補選択信号を所定期間経過ごとに前記立体表示メガネに送信する候補選択信号送信手段を備えてなり，
前記同期制御手段が，前記候補選択信号を受信したことを条件に，視界の切り替えタイミングを計るための計時情報をリセットすると共に，前記候補選択信号が示す同期制御情報を前記同期制御情報記憶手段に記憶された複数の同期制御情報から抽出し，該同期制御情報に従って視界の切り替えタイミングを制御してなることを特徴とする立体映像表示システム。
【請求項２】
前記立体映像表示装置及び前記立体表示メガネ各々が，ＲＦ通信方式によるデータ通信を行うためのＲＦ通信手段を備えてなり，
前記立体表示メガネが，前記所定期間経過ごとに前記ＲＦ通信手段によって前記立体映像表示装置に前記候補選択信号の送信要求を送信すると共に該立体映像表示装置から前記候補選択信号を受信する候補選択信号受信手段と，前記候補選択信号受信手段による前記送信要求の送信及び前記候補選択信号の受信が行われる間だけ前記ＲＦ通信手段を駆動させるＲＦ駆動制御手段とを備えてなり，
前記候補選択信号送信手段が，前記所定期間経過ごとに送信される前記送信要求を受信したことを条件に，前記ＲＦ通信手段によって前記候補選択信号を前記送信要求の送信元の前記立体表示メガネに送信するものである請求項１に記載の立体映像表示システム。
【請求項３】
前記立体映像表示装置が，左目映像及び右目映像の切り替えタイミングの変更を伴う所定の処理の実行要求を受けた後，該所定の処理の実行を次に前記立体表示メガネから前記送信要求が受信されるまで待機させ，該送信要求が受信されたことを条件に前記所定の処理を実行する切替待機手段を更に備えてなり，
前記候補選択信号送信手段が，前記送信要求を受信したことを条件に，前記切替待機手段による前記所定の処理の実行により変更された後の左目映像及び右目映像の切り替えタイミングに対応する同期制御情報を前記候補から選択させるための候補選択信号を前記送信要求の送信元の前記立体表示メガネに送信するものである請求項２に記載の立体映像表示システム。
【請求項４】
前記候補選択信号受信手段が，前記同期制御手段により視界の切り替えタイミングが変更されてから予め定められた調整時間が経過するまでの間は，前記送信要求の送信頻度を高くするものである請求項２に記載の立体映像表示システム。
【請求項５】
前記立体映像表示装置が，前記立体表示メガネの前記同期制御情報記憶手段に記憶された前記同期制御情報を変更するための同期制御情報変更情報を前記ＲＦ通信手段によって前記立体表示メガネに送信する同期制御情報送信手段を更に備えてなり，
前記立体表示メガネが，前記立体映像表示装置から受信した前記同期制御情報変更情報に基づいて前記同期制御情報記憶手段に記憶された前記同期制御情報を変更する同期制御情報変更手段を更に備えてなる請求項１〜４のいずれかに記載の立体映像表示システム。
【発明の詳細な説明】
【技術分野】
【０００１】
本発明は，表示位置が異なる左目映像及び右目映像を交互に切り替えて表示させる立体映像表示装置と，その左目映像及び右目映像の表示の切り替えに連動して左目及び右目の視界を交互に切り替えて有効化させる立体表示メガネとを備えてなる立体映像表示システムに関するものである。
【背景技術】
【０００２】
従来から，表示位置が若干ずれた左目映像及び右目映像を交互に液晶パネルに表示する立体映像表示装置（以下，表示装置という）と，その左目映像及び右目映像の表示の切り替えに連動して視聴者の左目及び右目の視界を交互に有効化させる立体表示メガネ（以下，３Ｄメガネという）とを備える立体映像表示システムが知られている（例えば，特許文献１参照）。
具体的に，ユーザは３Ｄメガネを掛けることで，図６（ａ）に示すように表示装置で左目映像が表示されているときは左目だけでその左目映像を観察し，図６（ｂ）に示すように表示装置で右目映像が表示されているときは右目だけでその右目映像を観察することとなり，図６（ｃ）に示すようにその表示映像を立体的に見ることができる。なお，３Ｄメガネにより左目及び右目の視界を交互に有効化及び無効化する手法としては，特許文献１にも開示されているように，例えば液晶シャッタにより光の透過及び遮蔽を切り替えること等が考えられる。
ところで，３Ｄメガネでは，表示装置における左目映像及び右目映像の表示の切り替えに同期して，左目及び右目の視界の有効及び無効を切り替える必要がある。例えば，その同期をとる方法として，特許文献１（段落００２４，表１）には，垂直同期周波数，右シャッタ開タイミング，右シャッタ閉タイミング，左シャッタ開タイミング，左シャッタ閉タイミング，Ｖ−Ｓｙｎｃオフセットなどの情報を含むオフセット情報が表示装置から３Ｄメガネに送信され，３Ｄメガネにおいてそのオフセット情報に基づく液晶シャッタの開閉制御が行われることが開示されている。なお，このとき表示装置と３Ｄメガネとの間におけるオフセット情報の伝送には，無指向性のＲＦ（無線周波数）通信方式が採用されているため，指向性が要求されるＩＲ（赤外線）通信方式を利用する場合に比べて安定した通信が実現される。
【先行技術文献】
【特許文献】
【０００３】
【特許文献１】特開２０１０−６２７６７号公報
【発明の概要】
【発明が解決しようとする課題】
【０００４】
しかしながら，前記特許文献１に開示されているオフセット情報は，垂直同期周波数，右シャッタ開タイミング，右シャッタ閉タイミング，左シャッタ開タイミング，左シャッタ閉タイミング，Ｖ−Ｓｙｎｃオフセットなどの各種の情報を含むものであるため，表示装置と３Ｄメガネとの間のデータ通信量が多くなる。このようにデータ通信量が多くなることは，データ通信時の省電力化の阻害要因となる。また，データ通信時間が長くなるほどデータ通信時のノイズ等の影響を受ける可能性が高くなり，データ通信の安定性にも影響を与える。
従って，本発明は上記事情に鑑みてなされたものであり，その目的とするところは，表示装置と３Ｄメガネとの間のデータ通信量を省減しつつ，表示装置及び３Ｄメガネを同期させることのできる立体映像表示システムを提供することにある。
【課題を解決するための手段】
【０００５】
上記目的を達成するために本発明は，表示位置が異なる左目映像及び右目映像を交互に切り替えて表示させる立体映像表示装置と，前記立体映像表示装置における左目映像及び右目映像の表示の切り替えに連動して左目及び右目の視界を交互に切り替えて有効化させる立体表示メガネとを備えてなる立体映像表示システムに適用されるものである。
そして，前記立体表示メガネが，該立体表示メガネにおける視界の切り替えタイミングを前記立体映像表示装置における左目映像及び右目映像の切り替えタイミングに同期させるための各々異なる同期制御情報の候補が予め複数記憶された同期制御情報記憶手段と，前記同期制御情報記憶手段に記憶された前記同期制御情報のいずれかに従って視界の切り替えタイミングを制御する同期制御手段とを備えている。
また，前記立体映像表示装置が，該立体映像表示装置における左目映像及び右目映像の切り替えタイミングに対応する同期制御情報を前記候補から選択させるための候補選択信号を所定期間経過ごとに前記立体表示メガネに送信する候補選択信号送信手段を備えている。
さらに，前記同期制御手段が，前記候補選択信号を受信したことを条件に，視界の切り替えタイミングを計るための計時情報をリセットすると共に，前記候補選択信号が示す同期制御情報を前記同期制御情報記憶手段に記憶された複数の同期制御情報から抽出し，該同期制御情報に従って視界の切り替えタイミングを制御する。
このように構成された本発明に係る立体映像表示システムでは，前記立体映像表示装置から前記立体表示メガネに対して，前記候補選択信号を送信するだけでよいため，従来のように各種の情報を含む前記同期制御情報を送信する場合に比べて，前記立体映像表示装置及び前記立体表示メガネの間のデータ通信量を省減することができる。従って，データ通信時の省電力化やデータ通信の安定化を図ることができる。
【０００６】
ところで，前記立体映像表示装置及び前記立体表示メガネ各々が，ＲＦ通信方式によるデータ通信を行うためのＲＦ通信手段を備えると共に，前記立体表示メガネが，前記所定期間経過ごとに前記ＲＦ通信手段によって前記立体映像表示装置に前記候補選択信号の送信要求を送信すると共に該立体映像表示装置から前記候補選択信号を受信する候補選択信号受信手段と，前記候補選択信号受信手段による前記送信要求の送信及び前記候補選択信号の受信が行われる間だけ前記ＲＦ通信手段を駆動させるＲＦ駆動制御手段とを備えることが考えられる。そして，前記候補選択信号送信手段は，前記所定期間経過ごとに送信される前記送信要求を受信したことを条件に，前記ＲＦ通信手段によって前記候補選択信号を前記送信要求の送信元の前記立体表示メガネに送信する。
このような構成によれば，前記立体表示メガネ側の前記ＲＦ通信手段を常に駆動させておく必要がなくなるため，該立体表示メガネにおける消費電力を省減することができる。
【０００７】
さらに，前記立体映像表示装置が，左目映像及び右目映像の切り替えタイミングの変更を伴う所定の処理の実行要求を受けた後，該所定の処理の実行を次に前記立体表示メガネから前記送信要求が受信されるまで待機させ，該送信要求が受信されたことを条件に前記所定の処理を実行する切替待機手段を更に備えてなり，前記候補選択信号送信手段が，前記送信要求を受信したことを条件に，前記切替待機手段による前記所定の処理の実行により変更された後の左目映像及び右目映像の切り替えタイミングに対応する同期制御情報を前記候補から選択させるための候補選択信号を前記送信要求の送信元の前記立体表示メガネに送信するものであることが考えられる。これにより，前記立体映像表示装置における前記所定の処理の実行に伴う左目映像及び右目映像の切り替えタイミングの変更に起因する同期ずれを防止することができる。
他方，前記候補選択信号受信手段が，前記同期制御手段により視界の切り替えタイミングが変更されてから予め定められた調整時間が経過するまでの間は，前記送信要求の送信頻度を高くするものであることも考えられる。これにより，前記所定の処理実行後であって前記立体映像表示装置において連続して左目映像及び右目映像の切り替えタイミングが変更される可能性が高い前記調整時間の間は，前記立体映像表示装置における左目映像及び右目映像の切り替えタイミングの変更に迅速に対応することができる。
また，前記立体映像表示装置が，前記立体表示メガネの前記同期制御情報記憶手段に記憶された前記同期制御情報を変更するための同期制御情報変更情報を前記ＲＦ通信手段によって前記立体表示メガネに送信する同期制御情報送信手段を更に備えてなり，前記立体表示メガネが，前記立体映像表示装置から受信した前記同期制御情報変更情報に基づいて前記同期制御情報記憶手段に記憶された前記同期制御情報を変更する同期制御情報変更手段を更に備えてなることが考えられる。これにより，前記立体映像表示装置の機種や使用態様に対応して前記同期制御情報を変更することが可能となり汎用性に優れる。
【発明の効果】
【０００８】
本発明によれば，前記立体映像表示装置から前記立体表示メガネに対して，前記候補選択信号を送信するだけでよいため，従来のように各種の情報を含む前記同期制御情報を送信する場合に比べて，前記立体映像表示装置及び前記立体表示メガネの間のデータ通信量を省減することができる。従って，データ通信時の省電力化やデータ通信の安定化を図ることができる。
【図面の簡単な説明】
【０００９】
【図１】本発明の実施の形態に係る立体映像表示システムＺの概略構成を表すブロック図。
【図２】テレビジョン受像機Ｘ及び３ＤメガネＹの同期制御に係る構成を示すブロック図。
【図３】本発明の実施の形態に係る立体映像表示システムＺで実行される同期制御処理の手順の一例を説明するためのフローチャート。
【図４】同期制御処理の実行結果の一例を示すタイミングチャート。
【図５】同期制御処理の他の例を説明するためのフローチャート。
【図６】立体映像の表示原理を説明するための図。
【発明を実施するための形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１に示すブロック図を用いて，本発明の実施の形態に係る立体映像表示システムＺの概略構成について説明する。
図１に示すように，本発明の実施の形態に係る立体映像表示システムＺは，表示位置が異なる左目映像及び右目映像を交互に切り替えて表示させるテレビジョン受像機Ｘ（立体映像表示装置の一例）と，テレビジョン受像機Ｘにおける左目映像及び右目映像の表示の切り替えに連動して左目及び右目の視界を交互に切り替えて有効化させる３ＤメガネＹ（立体表示メガネの一例）とを備えている。
テレビジョン受像機Ｘは，チューナ１ａ，１ｂ，外部入力部２，映像切替回路３，映像処理回路４ａ，立体映像処理回路４ｂ，ＲＦ通信回路５（ＲＦ通信手段），ＬＣＤ制御回路６，液晶表示部７，制御回路８，リモコンインターフェース（Ｉ／Ｆ）回路９，リモコン９ａ，音声切替回路１０，音声処理回路１１，アンプ１２，スピーカ１３などを具備している。なお，テレビジョン受像機Ｘは，ここで説明する構成要素以外にも，一般的なテレビジョン受像機が有する構成要素を備えている。
【００１１】
制御回路８は，演算手段であるＭＰＵ８ａ，そのＭＰＵ８ａによって実行される制御プログラムが予め格納されるＲＯＭ８ｂ（ＥＰＲＯＭ），ＭＰＵ８ａが各種の処理を実行する際の作業記憶領域として利用されるＥＥＰＲＯＭ８ｃなどを備え，当該テレビジョン受像機Ｘ全体を統括的に制御する。
リモコンインターフェース回路９は，当該テレビジョン受像機Ｘの操作用のリモコン９ａから，赤外線伝送などの無線伝送によって，リモコン９ａに対するユーザの操作入力の内容を取得し，その操作入力の内容を制御回路８に伝送するものである。例えば，リモコン９ａには，テレビジョン受像機Ｘで視聴するテレビジョン放送のチャンネル選択や音量調節，電源ＯＮ／ＯＦＦなどの各種操作を行う一般的な操作キー９ｂが設けられている。また，リモコン９ａには，テレビジョン受像機Ｘの表示映像を立体映像及び平面映像のいずれかに切り替えるための表示切替キー９ｃが設けられている。もちろん，リモコン９ａの操作によって表示されるメニュー画面上の操作により立体映像及び平面映像の切替操作が可能な構成であってもよい。
ＲＦ通信回路５は，後述する３ＤメガネＹのＲＦ通信回路３５との間で無線周波数（ＲＦ）通信方式による無線伝送を行うことにより各種のデータを伝送するＲＦ送信回路及びＲＦ受信回路を有している。また，ＲＦ通信回路５を利用してリモコン９ａとの間でＲＦ通信方式によるデータ通信が行われることも他の実施例として考えられる。
【００１２】
チューナ１ａ，１ｂ各々は，地上デジタル放送やＢＳ・ＣＳ放送などの各種テレビジョン放送の複数チャンネル分の映像信号及びその映像と同期した音声信号が重畳された信号（以下，放送信号という）を放送受信アンテナ２０により受信する。そしてチューナ１ａ，１ｂは，制御回路８から指示された放送チャンネルの信号を前記放送信号から抽出（選局）するとともに，その抽出信号の検波によって映像信号及び音声信号を取り出し，その映像信号及び音声信号の各々を映像切替回路３及び音声切替回路１０各々へ伝送する。
また，外部入力部２は，外部から入力されるコンポジット方式の映像信号及び音声信号や，セパレート方式の映像信号及び音声信号（いわゆるＳ端子の信号）等の外部入力映像信号及び外部入力音声信号を，映像切替回路３及び音声切替回路１０各々へ伝送するインターフェースである。
【００１３】
音声切替回路１０は，チューナ１ａ，１ｂ各々からの音声信号及び外部入力部２からの音声信号のうちの任意の音声信号（ステレオの場合は２組の音声信号）を制御回路８からの指示に従って選択し，その選択した音声信号を音声処理回路１１に伝送する。
音声処理回路１１は，制御回路８からの指示に従って，音声切替回路１０から伝送される音声信号に対して各種信号処理（例えば，イコライズ処理やサラウンド処理等）を行うものである。
アンプ１２は，音声処理回路１１による各種信号処理後の音声信号を，制御回路８からの音量指示に従って増幅或いは減衰させる処理を行い，処理後の各音声信号をスピーカ１３へ伝送するものである。
【００１４】
一方，映像切替回路３は，チューナ１ａ，１ｂ各々から入力される映像信号及び外部入力部２から入力される映像信号のうち任意の映像信号を制御回路８からの指示に従って選択し，その選択した映像信号を映像処理回路４ａに伝送する。
映像処理回路４ａは，映像切替回路３から伝送された映像信号に対して各種信号処理を行うものである。具体的に，映像処理回路４ａは，映像信号のＡ／Ｄ変換や，Ａ／Ｄ変換後の映像信号から水平同期信号及び垂直同期信号の分離，その同期信号に位相同期したクロック信号の生成，Ａ／Ｄ変換後の映像信号からの輝度信号及び色信号の分離，所定の画質改善処理等を行い，その処理後の映像信号（以下「平面映像信号」という）を立体映像処理回路４ｂに出力する。
【００１５】
立体映像処理回路４ｂは，制御回路８からの制御指令に従って，映像処理回路４ａから入力された前記平面映像信号をそのままＬＣＤ制御回路６に出力する平面映像表示モードと，前記平面映像信号に基づく映像をユーザに立体的に視聴させるための立体映像信号を生成してＬＣＤ制御回路６に出力する立体映像表示モードとのいずれかを実行する。なお，前記平面映像表示モードと前記立体映像表示モードとの切り替えはリモコン９ａの表示切替キー９ｃによって行われる。ここに，前記立体映像信号は，液晶表示部７における表示位置が所定量異なる左目映像及び右目映像を交互に表示させるための映像信号である。
具体的に，前記立体映像表示モードにおいて，立体映像処理回路４ｂは，映像の１フレームごとの画像を左右それぞれに少しずらした左目用画像及び右目用画像を生成し，その左目用画像及び右目用画像を１フレームの半分の時間ごとに交互に合成することにより，前記左目映像及び前記右目映像からなる立体映像信号を生成する。もちろん，左目用画像及び右目用画像の切り替え時に両方が表示されない期間が介在してもよい。
また，立体映像処理回路４ｂは，生成した前記立体映像信号における左目映像及び右目映像の切り替えタイミングに対応する同期制御情報を示す候補選択信号を，該立体映像信号に対応する垂直同期信号と共にＲＦ通信回路５に入力する。
【００１６】
ここに，前記同期制御情報は，前記立体映像信号における左目映像及び右目映像の切り替えタイミングとの同期を計るための情報であって，垂直同期周波数や右シャッタ開タイミング，右シャッタ閉タイミング，左シャッタ開タイミング，左シャッタ閉タイミングなどを含んでいる。
また，前記候補選択信号は，立体映像処理回路４ｂで現在生成されている立体映像信号における左目映像及び右目映像の表示タイミングと，３ＤメガネＹにおける左目及び右目の視界の有効化のタイミングとを同期させるための同期制御情報を，後述する３ＤメガネＹの記憶メモリ３４に記憶された複数の同期制御情報の候補から選択するための信号である。
具体的に，前記候補選択信号は，３ＤメガネＹの記憶メモリ３４に記憶された複数パターンの同期制御情報のいずれか一つを特定するために予め定められた数字など，該同期制御情報よりもデータ量が少ない信号である。例えば，同期制御情報のパターン数が１６個以内であれば，候補選択信号は同期制御情報各々に対応する０〜１５の数字を示すための４ビットの信号であればよい。その他，立体映像処理回路４ｂで現在生成されている立体映像信号における左目映像及び右目映像の表示タイミングに対応する前記同期制御情報がない場合，立体映像処理回路４ｂが最も近似する同期制御情報を選択することも他の実施例として考えられる。
【００１７】
ＬＣＤ制御回路６は，立体映像処理回路４ｂから入力される平面映像信号又は立体映像信号や，垂直同期信号，水平同期信号などに基づいて液晶表示部７に映像を表示させる。
液晶表示部７は，液晶パネルやバックライト装置などを備えており，ＬＣＤ制御回路６から出力される映像信号に基づく映像を液晶パネルに表示するものである。なお，前記バックライト装置は，前記液晶パネルの背面側にマトリクス状に配置された多数のＬＥＤ又は複数の冷陰極管（蛍光管）により該液晶パネルを背後から照明するものである。
【００１８】
続いて，図２を参照しつつ，テレビジョン受像機Ｘと３ＤメガネＹとの間のＲＦ通信に係る構成について説明する。
図２に示すように，３ＤメガネＹは，左目シャッタ３１，右目シャッタ３２，メガネ制御部３３，記憶メモリ３４（同期制御情報記憶手段の一例），ＲＦ通信回路３５（ＲＦ通信手段），タイミング基準時計３６などを備えている。なお，３ＤメガネＹは，該３ＤメガネＹに装着された不図示の電池などからの供給電力によって作動するものである。
ＲＦ通信回路３５は，テレビジョン受像機ＸのＲＦ通信回路５との間で無線周波数（ＲＦ）通信方式による無線伝送を行うことにより各種のデータを伝送するＲＦ送信回路及びＲＦ受信回路を有している。
タイミング基準時計３６は，３ＤメガネＹにおいてメガネ制御部３３の動作の基準となる予め設定された周波数のクロック信号を生成するクロック生成部を備えている。即ち，３ＤメガネＹは，テレビジョン受像機Ｘとは独立したクロック信号に基づいて自走するよう構成されている。また，タイミング基準時計３６で生成されるクロック信号の周波数は，テレビジョン受像機ＸのＬＣＤ制御回路６の動作の基準となるクロック信号の周波数と同じ値に設定されている。さらに，タイミング基準時計３６は，該タイミング基準時計３６で生成されるクロック信号の数をカウントする。なお，タイミング基準時計３６によるクロック信号のカウント値は，ＲＦ通信回路３５による前記候補選択信号の受信時にメガネ制御部３３によってリセットされる。
左目シャッタ３１は，３ＤメガネＹを使用するユーザの左目の視界の有効及び無効（光の透過及び遮蔽）を切り替える液晶層を有する液晶シャッタである。また，右目シャッタ３２は，３ＤメガネＹを使用するユーザの右目の視界の有効及び無効（光の透過及び遮蔽）を切り替える液晶層を有する液晶シャッタである。なお，３ＤメガネＹの左目及び右目の視界の有効及び無効を切り替えるための構成はこれに限らず各種の従来手法を採用すればよい。
【００１９】
記憶メモリ３４には，３ＤメガネＹにおける視界の切り替えタイミングをテレビジョン受像機Ｘにおける左目映像及び右目映像の切り替えタイミングに同期させるための同期制御情報の候補が複数記憶されている。例えば，リモコン９ａに割り当てられたテレビ放送のチャンネルごとに対応する同期制御情報が予め定められていることが考えられる。
前述したように，前記同期制御情報各々は，垂直同期周波数，右シャッタ開タイミング，右シャッタ閉タイミング，左シャッタ開タイミング，左シャッタ閉タイミングなどの情報を含んでいる。例えば，右（左）シャッタ開タイミング及び右（左）シャッタ閉タイミングは，タイミング基準時計３６で生成されるクロック信号に基づいて右シャッタ３１（左シャッタ３２）を開閉するためのタイミングをパルス数によって定めるものである。
メガネ制御部３３は，ＭＰＵやＲＡＭ，ＲＯＭなどの制御機器を有しており，記憶メモリ３４に記憶された前記同期制御情報のいずれかに従って，左目シャッタ３１及び右目シャッタ３２各々の液晶層への通電の有無を切り替えることにより，左目シャッタ３１及び右目シャッタ３２各々を開閉し，視界の切り替えタイミングを制御する。ここに，係る制御処理を実行するときのメガネ制御部３３が同期制御手段に相当する。
具体的に，メガネ制御部３３は，タイミング基準時計３６でカウントされるクロック信号のカウンタ値が，右（左）シャッタ開タイミング及び右（左）シャッタ閉タイミングとして定められたカウンタ値に達したことを条件に左シャッタ３１及び右シャッタ３２各々を開閉する。
【００２０】
一方，テレビジョン受像機Ｘでは，ＬＣＤ制御回路６がＬＣＤ制御回路６の動作の基準となる予め設定された周波数のクロック信号を生成するタイミング基準時計６１を備えている。また，タイミング基準時計６１は，該タイミング基準時計６１で生成されるクロック信号の数をカウントする。タイミング基準時計６１によるクロック信号のカウント値は，垂直同期信号の発生時にＲＦ通信回路５によってリセットされる。なお，前記クロック信号の周波数は，例えば３ＤメガネＹにおけるクロック信号の周波数と同一である。
そして，ＬＣＤ制御回路６は，立体映像処理回路４ｂから平面映像信号又は立体映像信号と共に入力される垂直同期信号の発生後，タイミング基準時計６１から入力されるクロック信号に従って，平面映像信号又は立体映像信号を液晶表示部７の液晶パネルに映像を表示させる。具体的に，立体映像表示モードでは，１フレームの表示期間において，垂直同期信号の入力後から左目映像が所定時間表示された後，右目映像が所定時間表示されることになる。このとき，ＬＣＤ制御回路６では，タイミング基準時計６１によるクロック信号のカウンタ値（初期値「０」）に基づいて左目映像及び右目映像の表示タイミングが計られる。
【００２１】
そして，このように構成された立体映像表示システムＺでは，前記立体映像表示モード時に後述の同期制御処理（図３参照）が実行されることにより，３ＤメガネＹにおける左シャッタ３１及び右シャッタ３２各々の開閉と，テレビジョン受像機Ｘにおける左目映像及び右目映像の表示の切り替えとが同期し，３ＤメガネＹを利用するユーザに３Ｄ映像を視聴させることができる。
以下，図３のフローチャートに従って，本実施の形態に係る立体映像表示システムＺで実行される同期制御処理について説明する。なお，図３（ａ）中のＳ１１，Ｓ１２，…はテレビジョン受像機Ｘ側の処理手順（ステップ）番号，図３（ｂ）中のＳ２１，Ｓ２２，…は３ＤメガネＹ側の処理手順（ステップ）番号を示している。なお，テレビジョン受像機Ｘ及び３ＤメガネＹ各々において以下の各処理を実行する制御主体は単なる一例であって適宜変更可能である。
まず，テレビジョン受像機Ｘ側の処理手順（Ｓ１１〜Ｓ１３）について説明し，その後，３ＤメガネＹ側の処理手順（Ｓ２１〜Ｓ２７）について説明する。
【００２２】
（テレビジョン受像機Ｘ側：ステップＳ１１〜Ｓ１３）
ステップＳ１１において，テレビジョン受像機Ｘでは，ＲＦ通信回路５が，３ＤメガネＹから送信される後述の送信要求信号の受信を待ち受ける（Ｓ１１のＮｏ側）。そして，３ＤメガネＹからの送信要求信号が受信されると（Ｓ１１のＹｅｓ側），処理はステップＳ１２に移行する。
ステップＳ１２において，ＲＦ通信回路５は，立体映像処理回路４ｂからの垂直同期信号の入力を待ち受ける（Ｓ１２のＮｏ側）。そして，垂直同期信号が入力されると（Ｓ１２のＹｅｓ側），処理はステップＳ１３に移行する。
ステップＳ１３において，ＲＦ通信回路５は，テレビジョン受像機Ｘにおける左目映像及び右目映像の切り替えタイミングに対応する同期制御情報を示す候補選択信号を，前記送信要求信号の送信元の３ＤメガネＹに送信する。また，ＲＦ通信回路５は，このとき同時にＬＣＤ制御回路６のタイミング基準時計６１におけるクロック信号のカウンタ値をリセットする。なお，前記カウンタ値のリセットはＬＣＤ制御回路６によって行われてもよい。
前記送信要求信号は，後述するように３ＤメガネＹから所定期間経過ごとに送信されるため，ＲＦ通信回路５は，その所定期間経過ごとに前記候補選択信号を送信することとなる。ここに，前記候補選択信号を所定期間経過ごとに３ＤメガネＹに送信するときのＲＦ通信回路５が候補選択信号送信手段に相当する。
【００２３】
（３ＤメガネＹ側：ステップＳ２１〜Ｓ２４）
一方，３ＤメガネＹ側では，メガネ制御部３３が，予め設定された所定期間（例えば数秒から数十秒程度）の経過を待ち受ける（Ｓ２１のＮｏ側）。そして，メガネ制御部３３は，前記所定期間が経過したと判断すると（Ｓ２１のＹｅｓ側），処理をステップＳ２２に移行させる。即ち，ステップＳ２２以後の処理は前記所定期間経過ごとに実行される。
ステップＳ２２において，メガネ制御部３３はＲＦ通信回路３５の駆動を開始させる。そして，メガネ制御部３３は，続くステップＳ２３において，その駆動が開始されたＲＦ通信回路３５を用いて，テレビジョン受像機Ｘに候補選択信号の送信を要求するための送信要求信号を送信する。
その後，メガネ制御部３３は，ＲＦ通信回路３５によるテレビジョン受像機Ｘからの候補選択信号の受信を待ち受ける（Ｓ２４のＮｏ側）。そして，メガネ制御部３３は，ＲＦ通信回路３５により候補選択信号が受信されたと判断すると（Ｓ２４のＹｅｓ側），処理をステップＳ２５に移行させる。
このように，前記所定期間経過ごとにテレビジョン受像機Ｘに前記候補選択信号の送信要求を送信すると共に該テレビジョン受像機Ｘから前記候補選択信号を受信するときのメガネ制御部３３が候補選択信号受信手段に相当する。
【００２４】
（３ＤメガネＹ側：ステップＳ２５〜Ｓ２７）
ステップＳ２５において，メガネ制御部３３は，左目シャッタ３１及び右目シャッタ３２の視界の有効及び無効の切り替えタイミングを計るためのクロック信号のカウンタ値（計時情報の一例）をリセット（設定）し，タイミング基準時計３６におけるクロック信号のカウントを再び開始させる。なお，リセット後のカウンタ値はテレビジョン受像機Ｘと３ＤメガネＹとの間のＲＦ通信による遅延時間を考慮して予め設定しておけばよい。例えば，２クロック分の遅延時間が生じることがわかっている場合には，リセット後のカウンタ値を「２」に設定することが考えられる。また，前記カウンタ値のリセットはＲＦ通信回路３５によって行われてもよい。
また，メガネ制御部３３は，前記ステップＳ２５と並行して，前記候補選択信号が示す同期制御情報を記憶メモリ３４に予め記憶された複数の同期制御情報から抽出し，該同期制御情報に従って左目シャッタ３１及び右目シャッタ３２の開閉制御を開始する（Ｓ２６）。
このステップＳ２５，Ｓ２６により，３ＤメガネＹでは，テレビジョン受像機Ｘにおける左目映像及び右目映像の切り替えタイミングに同期して左目及び右目の視界が交互に有効化されることとなり，該３ＤメガネＹを掛けたユーザに対して左目映像及び右目映像を左目及び右目で交互に観察させ，テレビジョン受像機Ｘに表示される映像を立体的に見せることができる。
その後，続くステップＳ２７では，メガネ制御部３３は，ＲＦ通信回路３５の駆動を停止させる。このように，前記ステップＳ２１〜Ｓ２４において前記送信要求信号の送信及び前記候補選択信号の受信が行われる間だけＲＦ通信回路３５を駆動させているため，該ＲＦ通信回路３５を常に駆動させる場合に比べて消費電力を省減することができる。ここに，係る処理を実行するときのメガネ制御部３３がＲＦ駆動制御手段に相当する。
【００２５】
ここに，図４は，前記同期制御処理（図３）の実行結果の一例を示すタイミングチャートである。
なお，図４（ａ）は３ＤメガネＹからテレビジョン受像機Ｘに送信される送信要求信号，図４（ｂ）はテレビジョン受像機Ｘから３ＤメガネＹに送信される候補選択信号，図４（ｃ）はテレビジョン受像機Ｘにおける垂直同期信号の発生タイミング，図４（ｄ）はテレビジョン受像機ＸのＬＣＤ制御回路６の動作に用いられるクロック信号のカウンタ値，図４（ｅ）は３ＤメガネＹにおけるタイマリセットのタイミング，図４（ｆ）は３ＤメガネＹのメガネ制御部３３の動作に用いられるクロック信号のカウンタ値を示している。
立体映像表示システムＺでは，数秒〜数十秒間隔で３ＤメガネＹからテレビジョン受像機Ｘに送信要求信号（図４（ａ））が送信される。そして，送信要求信号が受信されたテレビジョン受像機Ｘでは，垂直同期信号（図４（ｃ））の発生タイミングと同時に，３ＤメガネＹに対して候補選択信号（図４（ｂ））が送信される。また，このとき同時にテレビジョン受像機Ｘにおけるタイミング基準時計６１のクロック信号のカウンタ値がリセットされる（図４（ｄ）参照）。
一方，３ＤメガネＹでは，前記候補選択信号が受信されると，タイミング基準時計３６のクロック信号のカウンタ値がリセットされて該クロック信号のカウントが「２」から再び開始され（図４（ｅ），（ｆ）），そのカウンタ値と前記候補選択信号に対応する前記同期制御情報とに基づいて３ＤメガネＹにおける左目シャッタ３１，右目シャッタ３２の開閉タイミングが制御される。この「２」という数字は，テレビジョン受像機Ｘと３ＤメガネＹとの間のＲＦ通信処理などにおける遅延時間Ｔｄを考慮して，テレビジョン受像機Ｘ及び３ＤメガネＹ各々におけるクロック信号のカウンタ値を同じ値にするために予め設定された数値である。もちろん，遅延時間を考慮する必要が無い場合には，「０」にリセットすればよい。また，同期制御情報において遅延時間Ｔｄがなくなるように設定されており，リセット値が「０」であることも考えられる。
このように，立体映像表示システムＺでは，前記同期制御処理（図３）が実行されることにより，テレビジョン受像機Ｘにおける左目映像及び右目映像の切り替えタイミングと，３ＤメガネＹにおける左目及び右目の視野の有効化の切り替えタイミングとを同期させることができる。そして，立体映像表示システムＺでは，テレビジョン受像機Ｘから３ＤメガネＹに送信されるデータが前記候補選択信号だけであるため，従来のように前記同期制御情報そのものを送信する場合に比べてＲＦ通信におけるデータ通信量を減らすことができ，該データ通信時における消費電力を省減することができる。
【００２６】
ところで，前記同期制御情報の内容は，立体映像表示システムＺを構成するテレビジョン受像機Ｘの機種や使用態様によって異なることも考えられる。
そこで，テレビジョン受像機Ｘにおいて，制御回路８が，リモコン９ａなどに対するユーザ操作に応じて，３ＤメガネＹの記憶メモリ３４に記憶された同期制御情報を変更するための同期制御情報変更情報をＲＦ通信回路５により３ＤメガネＹに送信することが考えられる。ここに，係る処理を実行するときの制御回路８が同期制御情報送信手段に相当する。
そして，３ＤメガネＹにおいては，メガネ制御部３３が，テレビジョン受像機Ｘから受信した前記同期制御情報変更情報に基づいて記憶メモリ３４に記憶された前記同期制御情報を変更することが考えられる。ここに，係る処理を実行するときのメガネ制御部３３が同期制御情報変更手段に相当する。
これにより，３ＤメガネＹで用いられる同期制御情報をテレビジョン受像機Ｘの機種や仕様に対応して変更することが可能となり，汎用性を高めることができる。
【実施例１】
【００２７】
前記実施の形態に係るテレビジョン受像機Ｘでは，平面映像表示モード及び立体映像表示モードの切り替えや，テレビジョン放送のチャンネル変更，外部入力部２からの入力映像の表示開始及び表示停止などの所定の処理により，表示映像の周波数が変化すると，テレビジョン受像機Ｘにおける左目映像及び右目映像の切り替えタイミングが変更されることがある。
しかしながら，立体映像表示システムＺのように，テレビジョン受像機Ｘと３ＤメガネＹとの同期が数秒から数十秒間隔で行われる構成では，前記所定の処理によってタイミングが変更されても，その後，数秒から数十秒が経過するまでの間は同期を取ることができない。
そこで，テレビジョン受像機Ｘにおいて，制御回路８が，左目映像及び右目映像の切り替えタイミングの変更を伴う前記所定の処理の実行要求を受けた後，該所定の処理の実行を，次に３ＤメガネＹから前記送信要求信号が受信されるまで待機させ，該送信要求信号が受信されたことを条件に前記所定の処理を実行することが考えられる。ここに，係る処理を実行するときの制御回路８が切替待機手段に相当する。
【００２８】
ここに，図５は，本実施例１に係る同期制御処理の手順の一例を示すフローチャートである。
図５（ａ）に示すように，本実施例１に係る同期制御処理では，前記実施の形態で説明した同期制御処理（図３参照）に加えて，ステップＳ３１〜Ｓ３３の処理手順が実行される。
具体的に，図５（ａ）に示すように，テレビジョン受像機Ｘでは，ステップＳ３１において，制御回路８が，左目映像及び右目映像の切り替えタイミングの変更を伴う所定の処理の実行要求がなされたか否かを判断する。ここで，前記所定の処理の実行要求がなされたと判断されると（Ｓ３１のＹｅｓ側），処理はステップＳ３２に移行し，前記所定の処理の実行要求がなされていなければ（Ｓ３１のＮｏ側），処理は前記ステップＳ１１に移行する。
ステップＳ３２では，前記制御回路８は，前記所定の処理の実行を待機させたまま処理を前記ステップＳ１１に移行させる。即ち，例えばユーザによりリモコン９ａに対して左目映像及び右目映像の切り替えタイミングの変更を伴うチャンネル変更の操作要求がなされた場合であっても，その時点ではチャンネル変更の処理は実行されない。もちろん，チャンネルを変更しても左目映像及び右目映像の切り替えタイミングが変更されない場合には，その変更処理は前記所定の処理ではないため，そのチャンネル変更の処理を即時に行えばよい。
【００２９】
そして，前記ステップＳ１１において，３ＤメガネＹからの送信要求信号が受信されたと判断されると（Ｓ１１のＹｅｓ側），処理はステップＳ３３に移行する。
続くステップＳ３３では，制御回路８が，前記ステップＳ３２で待機されていた前記所定の処理を実行する。これにより，左目映像及び右目映像の切り替えタイミングは変更されることとなる。なお，前記所定の処理が待機されていない場合には，そのまま前記ステップＳ１２に移行する。
そして，前述したように前記ステップＳ１２，Ｓ１３では，ＲＦ通信回路５が，垂直同期信号の発生タイミングで候補選択信号を３ＤメガネＹに送信する。このとき，ＲＦ通信回路５は，前記ステップＳ３３で前記所定の処理が実行された後の左目映像及び右目映像の切り替えタイミングに対応する同期制御情報を示す候補選択信号を前記送信要求信号の送信元の３ＤメガネＹに送信する。
これにより，左目映像及び右目映像の切り替えタイミングが変更された直後から，次に同期がとられるまでの間の数秒から数十秒が経過するまでの間は，前記所定の処理の実行前の映像が継続して表示されるため，テレビジョン受像機Ｘと３ＤメガネＹとの同期がとれていない状態で視聴者に映像を視聴させることを防止することができる。
【実施例２】
【００３０】
また，前述したように，前記実施の形態に係るテレビジョン受像機Ｘでは，平面映像表示モード及び立体映像表示モードの切り替えや，テレビジョン放送のチャンネル変更，外部入力部２からの入力映像の表示開始及び表示停止などの所定の処理により，表示映像の周波数が変化すると，テレビジョン受像機Ｘにおける左目映像及び右目映像の切り替えタイミングが変更される。
このとき，前記所定の処理が要求された場合には，その後も連続的に同様の処理が要求されるおそれがある。例えば，ユーザが視聴する番組を選択する場合には，自己の所望の番組を見つけるまでの間，チャンネルの変更を繰り返し行うことがあり，この場合には，前記所定の処理が連続して複数回実行されることになる。しかしながら，前記立体映像表示システムＺでは，数秒から数十秒の間隔で同期が行われるため，その頻繁な変更に迅速に対応することができない。一方，前記所定の処理が実行された後，ある程度の時間が経過すると，続けて前記所定の処理が実行される可能性は低くなる。
そのため，前記所定の処理が実行された直後だけは，その他の場合に比べて，テレビジョン受像機Ｘと３ＤメガネＹとの同期をとる頻度を高くすることが望ましい。これにより，前記所定の処理が連続して複数回実行される場合に，その所定の処理による左目映像及び右目映像の切り替えタイミングの変更に迅速に対応して３ＤメガネＹを動作させることができる。
【００３１】
具体的には，３ＤメガネＹにおいて，メガネ制御部３３が，テレビジョン受像機Ｘにおいて前記所定の処理が実行されることにより，該テレビジョン受像機Ｘから受信される前記同期制御情報が変更されてから，予め定められた調整時間が経過するまでの間だけは，テレビジョン受像機Ｘに前記送信要求信号を送信する間隔（即ち前記ステップＳ２１における所定期間）を短く設定して，該送信要求信号の送信頻度を高くすることが考えられる。例えば，前記所定期間の短縮後の時間は通常の前記所定期間の半分程度，前記調整時間は１分〜５分程度であることが考えられる。なお，前記所定期間や前記調整時間は，省電力化との均衡を考慮して適宜設定しておけばよい。
これにより，例えばユーザによるチャンネル変更などの前記所定の処理の要求操作がなされる可能性が高い状態においては，その所定の処理の実行に伴う左目映像及び右目映像の切り替えタイミングの変更に迅速に対応して３ＤメガネＹを動作させることができる。
【実施例３】
【００３２】
また，前記実施の形態に係る前記立体映像表示システムＺのように，数秒から数十秒の間隔で同期を行う場合には，例えばテレビジョン受像機Ｘにおける表示モードが平面映像表示モード及び立体映像表示モードの間で変更されても，その旨が３ＤメガネＹに伝達されるまでに時間を要する。
そこで，テレビジョン受像機Ｘと３ＤメガネＹとの間で，ＲＦ通信とは異なる手法により，テレビジョン受像機Ｘにおける表示モードの変更を，該テレビジョン受像機Ｘから３ＤメガネＹに伝達する構成が考えられる。以下，係る構成の一例について説明する。
具体的には，テレビジョン受像機Ｘの正面に，立体映像表示モードである場合に赤外線の光を照射し，平面映像表示モードである場合に消灯する赤外線照射部を設ける。一方，３ＤメガネＹには，そのテレビジョン受像機Ｘの赤外線照射部の点灯及び消灯を検知するための赤外線検知部を設ける。ここで，３ＤメガネＹでは，ＲＦ通信回路３５の駆動が停止されている場合であっても，前記赤外線検知部は駆動されている状態である。
そして，３Ｄメガネでは，メガネ制御部３３が，前記赤外線検知部により赤外線が検知されている場合には，立体映像表示モードであると判断して，前記同期制御処理により左目シャッタ３１及び右目シャッタ３２を交互に開閉する。他方，前記赤外線検知部により赤外線が検知されていない場合，メガネ制御部３３は，左目シャッタ３１及び右目シャッタ３２の開閉制御を停止して両方の視界を有効にする。これにより，３ＤメガネＹは，テレビジョン受像機Ｘにおける表示モードの切り替えに迅速に対応して動作することができる。
【００３３】
また，３ＤメガネＹを使用してテレビジョン受像機Ｘの表示映像を立体的に視聴するためには，該テレビジョン受像機Ｘに対向する角度に限界がある。同じく，３ＤメガネＹの前記赤外線検知部による赤外線の検知にも指向性が要求される。
そこで，テレビジョン受像機Ｘの表示映像を立体的に視聴するための限界角度と，前記赤外線検知部による赤外線検知が可能な限界角度とが同じになるように前記赤外線照射部及び前記赤外線検知部を配置しておくことが考えられる。これにより，３ＤメガネＹを使用してテレビジョン受像機Ｘの表示映像を立体的に視聴することができない場合に，自動的に前記同期制御処理による左目シャッタ３１及び右目シャッタ３２の開閉制御を停止させることができる。
【００３４】
なお，ここではテレビジョン受像機Ｘにおける表示モードが平面映像表示モードと立体映像表示モードとの間で切り替えられる場合を例に挙げて説明したが，テレビジョン受像機Ｘにおける左目映像及び右目映像の切り替えタイミングの変更を伴う所定の処理が実行される度に，制御回路８が前記赤外線照射部の状態を点灯及び消灯の間で切り替えることが考えられる。
これにより，３ＤメガネＹのメガネ制御部３３は，その赤外線照射部の状態の切り替えを条件に左目映像及び右目映像の切り替えタイミングの変更を知得し，ＲＦ通信回路３５を駆動させて送信要求信号の送信を実行することができる。
【産業上の利用可能性】
【００３５】
本発明は，液晶テレビジョン受像機や液晶ディスプレイ装置などの立体映像表示装置と立体表示メガネとを備える立体映像表示システムへの利用が可能である。
【符号の説明】
【００３６】
１ａ，１ｂ：チューナ
２：外部入力部
３：映像切替回路
４ａ：映像処理回路
４ｂ：立体映像処理回路
５：ＲＦ通信回路
６：ＬＣＤ制御回路
７：液晶表示部
８：制御回路
８ａ：ＭＰＵ
８ｂ：ＲＯＭ
８ｃ：ＥＥＰＲＯＭ
９：リモコンインターフェース回路
９ａ：リモコン
９ｂ：操作キー
９ｃ：表示切替キー
１０：音声切替回路
１１：音声処理回路
１２：アンプ
１３：スピーカ
Ｓ１１〜Ｓ１３：処理手順（ステップ）番号
Ｓ２１〜Ｓ２７：処理手順（ステップ）番号
Ｓ３１〜Ｓ３３：処理手順（ステップ）番号
Ｘ：テレビジョン受像機（立体映像表示装置の一例）
Ｙ：３Ｄメガネ（立体表示メガネ）
Ｚ：立体映像表示システム
【図１】
0005531279.tif 000002
【図２】
0005531279.tif 000003
【図３】
0005531279.tif 000004
【図４】
0005531279.tif 000005
【図５】
0005531279.tif 000006
【図６】
0005531279.tif 000007